(57)【特許請求の範囲】
【請求項１】
被写体を撮像して光電変換を行うことにより電子的な画像データを生成する撮像部と、前記画像データに対応する画像を表示する表示部とを備えた撮像装置であって、
前記画像データに対して、複数の画像処理を組み合わせることにより視覚的な効果を生じさせることが可能な特殊効果処理を行う画像処理部と、
前記画像データに基づいて、撮影シーンの種別を特定する撮影シーン特定部と、
前記撮影シーンの種別と前記特殊効果処理との組み合わせ情報を記憶した組み合わせ情報記憶部と、
前記組み合わせ情報を参照して、前記撮影シーン特定部が特定した前記撮影シーンの種別に応じた前記特殊効果処理を、前記画像処理部に実行させるべき処理として設定する画像処理設定部と、
を備え、
前記組み合わせ情報は、前記撮影シーンの種別と前記画像データに含まれる画像情報との組み合わせごとに前記特殊効果処理の内容を含み、
前記画像情報は、輝度情報、彩度情報、主要被写体の色情報および当該撮像装置から主要被写体までの距離情報を含み、
前記画像処理設定部は、前記撮影シーンの種別と前記画像情報との組み合わせに基づいて、前記画像処理部に実行させるべき前記特殊効果処理を設定することを特徴とする撮像装置。
【請求項２】
前記画像処理設定部が前記画像処理部に対して設定した前記特殊効果処理に関する情報を前記表示部に表示させる表示制御部をさらに備えたことを特徴とする請求項１に記載の撮像装置。
【請求項３】
前記画像処理部が行う前記特殊効果処理の設定の変更を指示する変更指示信号の入力を受け付ける操作入力部をさらに備え、
前記画像処理設定部は、前記変更指示信号が入力された場合、前記画像処理部に実行させるべき前記特殊効果処理の設定を解除することを特徴とする請求項１または２に記載の撮像装置。
【請求項４】
被写体を撮像して光電変換を行うことにより電子的な画像データを生成する撮像部と、前記画像データに対応する画像を表示する表示部とを備えた撮像装置に、
前記画像データに対して、複数の画像処理を組み合わせることにより視覚的な効果を生じさせることが可能な特殊効果処理を行う画像処理ステップと、
前記画像データに基づいて、撮影シーンの種別を特定する撮影シーン特定ステップと、
前記撮影シーンの種別と前記特殊効果処理との組み合わせ情報を記憶した組み合わせ情報記憶部から該組み合わせ情報を読み出して参照し、前記撮影シーン特定ステップで特定した前記撮影シーンの種別に応じた前記特殊効果処理を、前記画像処理ステップで実行させるべき処理として設定する画像処理設定ステップと、
を実行させ、
前記組み合わせ情報は、前記撮影シーンの種別と前記画像データに含まれる画像情報との組み合わせごとに前記特殊効果処理の内容を含み、
前記画像情報は、輝度情報、彩度情報、主要被写体の色情報および当該撮像装置から主要被写体までの距離情報を含み、
前記画像処理設定ステップは、前記撮影シーンの種別と前記画像情報との組み合わせに基づいて、前記画像処理部に実行させるべき前記特殊効果処理を設定することを特徴とする撮像プログラム。
【請求項５】
被写体を撮像して光電変換を行うことにより電子的な画像データを生成する撮像部と、前記画像データに対応する画像を表示する表示部とを備えた撮像装置が実行する撮像方法であって、
前記画像データに対して、複数の画像処理を組み合わせることにより視覚的な効果を生じさせることが可能な特殊効果処理を行う画像処理ステップと、
前記画像データに基づいて、撮影シーンの種別を特定する撮影シーン特定ステップと、
前記撮影シーンの種別と前記特殊効果処理との組み合わせ情報を記憶した組み合わせ情報記憶部から該組み合わせ情報を読み出して参照し、前記撮影シーン特定ステップで特定した前記撮影シーンの種別に応じた前記特殊効果処理を、前記画像処理ステップで実行させるべき処理として設定する画像処理設定ステップと、
を含み、
前記組み合わせ情報は、前記撮影シーンの種別と前記画像データに含まれる画像情報との組み合わせごとに前記特殊効果処理の内容を含み、
前記画像情報は、輝度情報、彩度情報、主要被写体の色情報および当該撮像装置から主要被写体までの距離情報を含み、
前記画像処理設定ステップは、前記撮影シーンの種別と前記画像情報との組み合わせに基づいて、前記画像処理部に実行させるべき前記特殊効果処理を設定することを特徴とする撮像方法。
【発明の詳細な説明】
【技術分野】
【０００１】
本発明は、被写体を撮像して光電変換を行うことにより電子的な画像データを生成する撮像装置および撮像プログラムに関する。
【背景技術】
【０００２】
近年、デジタルカメラやデジタルビデオカメラ等の撮像装置において、被写体を撮像した画像データに特殊効果処理を施すことによって、消費者の様々な要望に応える技術が知られている。たとえば、被写体を撮像した画像データに視覚的な効果を生じさせるワイプやセピア等の特殊効果処理を施した画像データを記録することができる技術が知られている（特許文献１参照）。この技術では、特殊効果処理を選択するエフェクトスイッチの操作に応じて、表示モニタが画像上の一部に特殊効果処理が施された画像を表示することにより、ユーザが所望する特殊効果処理を容易に選択させることができるようになっている。
【０００３】
また、撮像された画像データから抽出した人物が予め画像処理条件が設定された人物である場合、設定された画像処理条件に基づいて画像処理を行う撮像装置が知られている（特許文献２参照）。
【先行技術文献】
【特許文献】
【０００４】
【特許文献１】特開２００５−３４７８８６号公報
【特許文献２】特開２００２−７７５９２号公報
【発明の概要】
【発明が解決しようとする課題】
【０００５】
ところで、従来の撮像装置では、画像データに対して特殊効果処理を行う場合、撮影時における撮影シーンを考慮していなかった。このため、撮影シーンによっては、画像データに対して特殊効果処理を行うことで、かえって視覚的な効果が半減してしまう場合があった。
【０００６】
本発明は、上記に鑑みてなされたものであって、撮影シーンに応じた適切な特殊効果処理を画像データに対して行うことができる撮像装置および撮像プログラムを提供することを目的とする。
【課題を解決するための手段】
【０００７】
上述した課題を解決し、目的を達成するために、本発明にかかる撮像装置は、被写体を撮像して光電変換を行うことにより電子的な画像データを生成する撮像部と、前記画像データに対応する画像を表示する表示部とを備えた撮像装置であって、前記画像データに対して、複数の画像処理を組み合わせることにより視覚的な効果を生じさせることが可能な特殊効果処理を行う画像処理部と、前記画像データに基づいて、撮影シーンの種別を特定する撮影シーン特定部と、前記撮影シーンの種別と前記特殊効果処理との組み合わせ情報を記憶した組み合わせ情報記憶部と、前記組み合わせ情報を参照して、前記撮影シーン特定部が特定した前記撮影シーンの種別に応じた前記特殊効果処理を、前記画像処理部に実行させるべき処理として設定する画像処理設定部と、を備えたことを特徴とする。
【０００８】
また、本発明にかかる撮像装置は、上記発明において、前記画像処理設定部が前記画像処理部に対して設定した前記特殊効果処理に関する情報を前記表示部に表示させる表示制御部をさらに備えたことを特徴とする。
【０００９】
また、本発明にかかる撮像装置は、上記発明において、前記画像処理部が行う前記特殊効果処理の設定の変更を指示する変更指示信号の入力を受け付ける操作入力部をさらに備え、前記画像処理設定部は、前記変更指示信号が入力された場合、前記画像処理部に実行させるべき前記特殊効果処理の設定を解除することを特徴とする。
【００１０】
また、本発明にかかる撮像装置は、上記発明において、前記組み合わせ情報は、前記撮影シーンの種別と前記画像データに含まれる画像情報との組み合わせごとに前記特殊効果処理の内容が記載され、前記画像処理設定部は、前記撮影シーンの種別と前記画像情報との組み合わせに基づいて、前記画像処理部に実行させるべき前記特殊効果処理を設定することを特徴とする。
【００１１】
また、本発明にかかる撮像装置は、上記発明において、前記画像情報は、輝度情報、彩度情報、主要被写体の色情報および当該撮像装置から主要被写体までの距離情報を含むことを特徴とする。
【００１２】
また、本発明にかかる撮像プログラムは、被写体を撮像して光電変換を行うことにより電子的な画像データを生成する撮像部と、前記画像データに対応する画像を表示する表示部とを備えた撮像装置に、前記画像データに対して、複数の画像処理を組み合わせることにより視覚的な効果を生じさせることが可能な特殊効果処理を行う画像処理ステップと、前記画像データに基づいて、撮影シーンの種別を特定する撮影シーン特定ステップと、前記撮影シーンの種別と前記特殊効果処理との組み合わせ情報を記憶した組み合わせ情報記憶部から該組み合わせ情報を読み出して参照し、前記撮影シーン特定ステップで特定した前記撮影シーンの種別に応じた前記特殊効果処理を、前記画像処理ステップで実行させるべき処理として設定する画像処理設定ステップと、を実行させることを特徴とする。
【発明の効果】
【００１３】
本発明によれば、画像処理設定部が、撮影シーンの種別と特殊効果処理との組み合わせ情報を参照して、撮影シーン特定部によって特定された撮影シーンの種別に応じた特殊効果処理を画像処理部に実行させるべき処理として設定する。この結果、撮影シーンに応じた適切な特殊効果処理を画像データに対して行うことができるという効果を奏する。
【図面の簡単な説明】
【００１４】
【図１】図１は、本発明の実施の形態１にかかる撮像装置の撮影者に面する側（背面側）の構成を示す斜視図である。
【図２】図２は、本発明の実施の形態１にかかる撮像装置の構成を示すブロック図である。
【図３】図３は、本発明の実施の形態１にかかる撮像装置の特殊効果処理情報記憶部が記憶する特殊効果処理に関する情報としての特殊効果処理情報テーブルの一例を示す図である。
【図４】図４は、本発明の実施の形態１にかかる撮像装置の特殊補助効果処理情報記憶部が記憶する特殊補助効果処理に関する情報としての特殊補助効果処理情報テーブルの一例を示す図である。
【図５】図５は、本発明の実施の形態１にかかる撮像装置の組み合わせ情報記憶部が記憶する組み合わせ情報としての組み合わせテーブルの一例を示す図である。
【図６】図６は、本発明の実施の形態１にかかる撮像装置が行う処理の概要を示すフローチャートである。
【図７】図７は、本発明の実施の形態１にかかる撮像装置の表示部が表示する画像の一例を示す図である。
【図８】図８は、本発明の実施の形態１にかかる撮像装置の表示部が表示する画像の一例を示す図である。
【図９】図９は、本発明の実施の形態２にかかる撮像装置の組み合わせ情報記憶部が記憶する組み合わせ情報としての組み合わせ情報テーブルの一例の一部を示す図である。
【図１０】図１０は、本発明の実施の形態２にかかる撮像装置が行う処理の概要を示すフローチャートである。
【図１１】図１１は、本発明の実施の形態２にかかる撮像装置の表示部が表示する画像の一例を示す図である。
【発明を実施するための形態】
【００１５】
以下、図面を参照して、本発明を実施するための形態（以下、「実施の形態」という）について説明する。なお、以下に説明する実施の形態によって本発明が限定されるものではない。
【００１６】
（実施の形態１）
図１は、本発明の実施の形態１にかかる撮像装置の撮影者に面する側（背面側）の構成を示す斜視図である。図２は、本発明の実施の形態１にかかる撮像装置の構成を示すブロック図である。図１および図２に示す撮像装置１は、デジタル一眼レフカメラであり、本体部２と、本体部２に着脱可能なレンズ部３と、を備える。
【００１７】
図１および図２に示すように、本体部２は、シャッタ１０と、撮像素子１１と、Ａ／Ｄ変換部１２と、メモリ１３と、画像処理部１４と、撮像素子駆動部１５と、シャッタ駆動部１６と、露出処理部１７と、ＡＦ処理部１８と、タイマー１９と、本体通信部２０と、操作入力部２１と、フラッシュ発光部２２と、フラッシュ充電部２３と、フラッシュ駆動部２４と、表示部２５と、不揮発性メモリ２６と、外部メモリ２７と、外部通信部２８と、電源供給部２９と、電源部３０と、本体制御部３１と、を備える。
【００１８】
シャッタ１０は、撮像素子１１の状態を露光状態または遮光状態に設定する。シャッタ駆動部１６は、ステッピングモータ等を用いて構成され、レリーズ信号に応じてシャッタ１０を駆動する。
【００１９】
撮像素子１１は、レンズ部３が集光した光を受光して電気信号に変換するＣＣＤ（Charge  Coupled  Device）やＣＭＯＳ（Complementary  Metal  Oxide  Semiconductor）等を用いて構成される。撮像素子駆動部１５は、所定のタイミングで撮像素子１１から画像データ（アナログ信号）をＡ／Ｄ変換部１２に出力させる。
【００２０】
Ａ／Ｄ変換部１２は、撮像素子１１から入力されるアナログ信号に対してＡ／Ｄ変換を行うことによってデジタルの画像データを生成してメモリ１３に出力する。なお、本実施の形態１では、レンズ部３、シャッタ１０、撮像素子１１およびＡ／Ｄ変換部１２の構成が撮像部として機能する。
【００２１】
メモリ１３は、ＳＤＲＡＭ（Synchronous  Dynamic  Random  Access  Memory）を用いて構成される。メモリ１３は、Ａ／Ｄ変換部１２から入力される画像データや撮像装置１の処理中の情報を一時的に記録する。具体的には、メモリ１３は、撮像素子１１が１フレーム毎に順次出力する画像データを一時的に記録する。
【００２２】
画像処理部１４は、メモリ１３に記録された画像データを取得し、取得した画像データに対して各種の画像処理を施してメモリ１３に出力する。具体的には、画像処理部１４は、画像データに対してエッジ強調、色補正およびγ補正等の通常の画像処理を施す。画像処理部１４は、所定の圧縮処理、たとえばＪＰＥＧ形式やＡＶＩ形式等の圧縮処理を画像データに対して行う。画像処理部１４は、特殊効果処理部１４１と、特殊補助効果処理部１４２とを有する。
【００２３】
特殊効果処理部１４１は、画像データに対して複数の画像処理を組み合わせることにより視覚的な効果を生じさせる特殊効果処理を行う。この特殊効果処理としては、たとえばトーンカーブ処理、ぼかし処理および画像合成処理を組み合わせた処理を行う。
【００２４】
特殊補助効果処理部１４２は、画像データに対して特殊効果処理と異なる特殊補助効果処理を行う。この特殊補助効果処理としては、たとえば、ソフトフォーカス効果処理、ホワイトアウト効果処理、シェーディング効果処理またはスターライト効果処理等の補助的な画像処理を行う。なお、特殊補助効果処理部１４２は、特殊効果処理部１４１が特殊効果処理を行った画像データに対して特殊補助効果処理を行ってもよい。
【００２５】
露出処理部１７は、本体制御部３１を介してメモリ１３に記録された画像データに基づいて、静止画撮影や動画撮影を行う際の条件、たとえば絞りの設定値、シャッタ速度およびＩＳＯ（感度）等を決定することで撮像装置１の自動露出を行う。
【００２６】
ＡＦ処理部１８は、本体制御部３１を介してメモリ１３に記録された画像データに基づいて、撮像装置１の自動焦点（Auto  Focus）の調整を行う。たとえば、ＡＦ処理部１８は、画像データのコントラストに基づいて、撮像する被写体像の鮮鋭度が最大となるようにレンズ部３を駆動する。
【００２７】
タイマー１９は、計時機能や撮影日時の判定機能を有する。タイマー１９は、撮像された画像データに日時データを付加させるため、本体制御部３１に日時データを出力する。
【００２８】
本体通信部２０は、本体部２に装着されたレンズ部３との通信を行うための通信インターフェースである。なお、本体通信部２０は、本体部２に設けられた電源部３０からレンズ部３に電力を供給するようにしてもよい。
【００２９】
操作入力部２１は、撮像装置１の電源状態をオン状態またはオフ状態に切換える電源スイッチ２１１と、撮影の指示を与えるレリーズ信号を入力するレリーズスイッチ２１２と、撮像装置１に設定された各種撮影モード切換えの指示を与える切換信号を入力する撮影モード切換スイッチ２１３と、撮像装置１の各種設定を選択または決定の指示を与える指示信号を入力する操作スイッチ２１４と、撮像装置１に設定された操作メニュー画面の表示の指示を与える指示信号を入力するメニュースイッチ２１５と、撮像した画像データのレックビュー表示の指示を与える指示信号を入力するプレビュースイッチ２１６と、動画撮影の指示を与える動画レリーズ信号を入力する動画スイッチ２１７と、を有する。
【００３０】
レリーズスイッチ２１２は、外部から押圧により進退可能であり、半押しされた場合に撮像準備動作を指示するファーストレリーズ信号の入力を受ける一方、全押しされた場合に静止画撮像を指示するセカンドレリーズの入力を受け付ける。操作スイッチ２１４は、メニュー画面等における選択設定を行う上下左右の各方向ボタン２１４ａ〜２１４ｄと、メニュー画面等における各方向ボタン２１４ａ〜２１４ｄによる操作を決定する決定ボタン２１４ｅ（ＯＫボタン）とを有する（図１を参照）。なお、操作スイッチ２１４は、ダイヤルスイッチ等を用いて構成してもよい。さらに、操作入力部２１の一部として表示部２５にタッチパネルを設けることによって、撮影者が表示部２５の画面上で操作信号の入力を行うことができるようにしてもよい。
【００３１】
フラッシュ発光部２２は、キセノンランプやＬＥＤ（Light  Emitting  Diode）等を用いて構成される。フラッシュ発光部２２は、撮像装置１が撮像する視野領域へ向けて補助光であるストロボ光を照射する。フラッシュ充電部２３は、電源部３０から電源供給を受けて電圧を昇圧して充電する。フラッシュ駆動部２４は、フラッシュ充電部２３が昇圧した電圧をフラッシュ発光部２２に印加させることにより、フラッシュ発光部２２を駆動する。
【００３２】
表示部２５は、液晶または有機ＥＬ（Electro  Luminescence）等からなる表示パネルを用いて構成される。表示部２５は、撮像素子１１が生成した画像データに対応する画像または画像処理部１４が画像データに対して特殊効果処理を行った画像データに対応する画像（ライブビュー画像）を所定の表示フレームレート、たとえば６０ｆｐｓ（Frame  Per  Second）で表示する。表示部２５は、撮像装置１の操作情報や撮影に関する情報を適宜表示する。
【００３３】
不揮発性メモリ２６は、フラッシュメモリを用いて構成される。不揮発性メモリ２６は、撮像装置１を動作させるための各種プログラム、撮像プログラムおよびプログラムの実行中に使用される各種データやパラメータ等を記憶する。不揮発性メモリ２６は、撮像装置１で実行される各種撮影モードに関する情報を記憶する撮影モード情報記憶部２６１と、画像処理部１４が行う特殊効果処理に関する情報を記憶する特殊効果処理情報記憶部２６２と、画像処理部１４が行う特殊補助効果処理に関する情報を記憶する特殊補助効果処理情報記憶部２６３と、撮影シーンの種別と特殊効果処理との組み合わせ情報を記憶する組み合わせ情報記憶部２６４とを有する。なお、不揮発性メモリ２６は、本体部２に装着可能なレンズ部３の種類に応じたレンズ特性等に関する情報を記憶していてもよい。さらに、組み合わせ情報記憶部２６４に、撮影シーンの種別と特殊補助効果処理との組み合わせ情報を記憶していてもよい。
【００３４】
外部メモリ２７は、撮像装置１の外部から装着されるメモリカード等の記録媒体を用いて構成される。外部メモリ２７は、記録媒体インターフェース（図示せず）を介して撮像装置１に装着されることで画像データ等を記録する。外部メモリ２７は、本体制御部３１の制御のもと、記録した画像データ、撮像プログラムおよび各種情報それぞれを表示部２５、画像処理部１４および不揮発性メモリ２６に出力する。
【００３５】
外部通信部２８は、通信インターフェースとしての機能を有し、ネットワーク（図示せず）を介してサーバやパーソナルコンピュータ等の外部処理装置（図示せず）と双方向に送受信を行う。外部通信部２８は、外部処理装置との間で送受信を行うことにより、撮像装置１の各種プログラム、特殊効果処理情報および特殊補助効果処理情報等に関するデータを取得して本体制御部３１に出力する。なお、外部通信部２８は、有線または無線ＬＡＮ（Local  Area  Network）等を介してネットワークに接続される。
【００３６】
電源供給部２９は、撮像装置１の各構成部に電源部３０の電力を供給する。電源部３０は、撮像装置１に着脱自在なバッテリを用いて構成される。なお、電源供給部２９は、外部電源（図示せず）から供給される電力を撮像装置１の各構成部に供給するようにしてもよい。
【００３７】
本体制御部３１は、ＣＰＵ（Central  Processing  Unit）等を用いて構成される。本体制御部３１は、操作入力部２１からの操作信号や指示信号に応じて撮像装置１を構成する各部に対応する指示やデータの転送等を行って撮像装置１の動作を統括的に制御する。本体制御部３１は、顔検出部３１１と、撮影シーン特定部３１２と、画像処理設定部３１３と、表示制御部３１４と、撮影制御部３１５とを有する。
【００３８】
顔検出部３１１は、画像データに対応する画像に含まれる人物の顔をパターンマッチングによって検出する。なお、顔検出部３１１は、人物の顔だけでなく、犬や猫等の顔を検出してもよい。さらに、顔検出部３１１は、パターンマッチング以外の周知技術を用いて人物の顔を検出してもよい。
【００３９】
撮影シーン特定部３１２は、画像データに基づいて、撮影シーンの種別を特定する。具体的には、撮影シーン特定部３１２は、画像データに含まれる被写体の輝度分布情報、彩度分布情報、色分布情報、主要被写体までの距離情報および時間等に基づいて、撮影シーンの種別を特定する。この撮影シーンの種別としては、ポートレート、風景、夜景および花等である。ここで、主要被写体とは、たとえば、顔検出部３１２によって画像データから検出された人物に対応する画像、またはＡＦ処理部１８によってレンズ部３のピントが合った領域に対応する画像である。
【００４０】
画像処理設定部３１３は、組み合わせ情報記憶部２６４が記憶する組み合わせ情報を参照して、撮影シーン特定部３１２が特定した撮影シーンの種別に応じた特殊効果処理の内容を画像処理部１４に実行させるべき処理として設定する。画像処理設定部３１３は、操作入力部２１によって特殊効果処理の設定内容の変更を指示する変更指示信号が入力された場合、画像処理部１４に実行させる特殊効果処理の設定を解除する。具体的には、画像処理設定部３１３は、操作入力部２１によって変更指示信号が入力された場合、画像処理部１４に実行させる特殊効果処理の設定を解除して、通常の画像処理を画像処理部１４に設定する。
【００４１】
表示制御部３１４は、メニュースイッチ２１５から指示信号が入力された場合、操作メニュー画面を表示部２５に表示させる。表示制御部３１４は、画像処理設定部３１３が画像処理部１４に設定した特殊効果処理に関する情報および撮影シーン特定部３１２が特定した撮影シーンの種別に関する情報を表示部２５に表示させる。具体的には、表示制御部３１４は、特殊効果処理に関する情報および撮影シーンの種別に関する情報それぞれに対応するアイコンを、表示部２５が表示する画像の一部に重畳させて表示させる。
【００４２】
撮影制御部３１５は、セカンドレリーズ信号が入力された場合、撮像装置１における撮影動作を開始する制御を行う。ここで、撮像装置１における撮影動作とは、撮像素子駆動部１５およびシャッタ駆動部１６の駆動によって撮像素子１１が出力した画像データに対し、画像処理部１４が通常の画像処理または特殊効果処理を施す動作である。このように処理が施された画像データは、本体制御部３１によって外部メモリ２７に記録される。
【００４３】
以上の構成を有する本体部２に対して、音声入出力機能や電子ビューファインダ等を具備させてもよい。
【００４４】
レンズ部３は、光学系４１と、レンズ駆動部４２と、絞り４３と、絞り駆動部４４と、レンズ操作部４５と、レンズ通信部４６と、レンズ記憶部４７と、レンズ制御部４８と、を備える。
【００４５】
光学系４１は、一または複数のレンズを用いて構成される。光学系４１は、所定の視野領域から光を集光するとともに、画角を変化させる光学ズーム機能を有する。レンズ駆動部４２は、ＤＣモータ等を用いて構成され、光学系４１のレンズを光軸Ｌ上で移動させることにより、光学系４１のピント位置や画角等の変更を行う。
【００４６】
絞り４３は、光学系４１が集光した光の入射量を制限することにより露出の調整を行う。絞り駆動部４４は、ステッピングモータ等を用いて構成され、絞り４３を駆動する。
【００４７】
レンズ操作部４５は、ズーム操作部４５１と、フォーカス操作部４５２とを有する。ズーム操作部４５１は、図１に示すように、レンズ部３のレンズ鏡筒の周囲に設けられるズームリングであり、レンズ部３における光学ズームの操作を開始する操作信号の入力を受け付ける。フォーカス操作部４５２は、図１に示すように、レンズ部３のレンズ鏡筒の周囲に設けられるフォーカスリングであり、レンズ部３におけるピント位置の操作を開始する操作信号の入力を受け付ける。なお、ズーム操作部４５１およびフォーカス操作部４５２は、プッシュ式のスイッチ等であってもよい。
【００４８】
レンズ通信部４６は、レンズ部３が本体部２に装着されたときに、本体部２の本体通信部２０と通信を行うための通信インターフェースである。
【００４９】
レンズ記憶部４７は、光学系４１の位置や動きを決定するための制御用プログラムや各種パラメータを記憶する。
【００５０】
レンズ制御部４８は、ＣＰＵ（Central  Processing  Unit）等を用いて構成される。レンズ制御部４８は、レンズ操作部４５の操作信号や本体部２からの指示信号に応じてレンズ部３の動作を制御する。具体的には、レンズ制御部４８は、レンズ操作部４５の操作信号に応じてレンズ駆動部４２を駆動させてレンズ部３のピント合わせやズーム変更を行なうとともに、絞り駆動部４４を駆動させて絞り値の変更を行う。なお、レンズ制御部４８は、レンズ部３が本体部２に装着された際に、レンズ部３のピント位置情報、焦点距離情報およびレンズ部３を識別する固有情報等を本体部２に送信するようにしてもよい。
【００５１】
以上の構成を有する撮像装置１で実行される特殊効果処理および特殊補助効果処理について説明する。図３は、特殊効果処理情報記憶部２６２が記憶する特殊効果処理に関する情報としての特殊効果処理情報テーブルの一例を示す図である。図３に示すように、特殊効果処理情報テーブルＴ１には、画像処理部１４が画像データに対して実行することが可能な特殊効果処理が記載されている。さらに、特殊効果処理情報テーブルＴ１には、各特殊効果処理における記録用特殊効果処理および表示用特殊効果処理の画像処理の内容が記載されている。具体的には、特殊効果処理が「Ａｒｔ１」の「ファンタジックフォーカス」の場合、記録用特殊効果処理の処理内容として「トーンカーブ処理」、「ぼかし処理」および「合成処理」が記載され、表示用特殊効果処理の処理内容として「トーンカーブ処理」および「ぼかし処理」が記載されている。ここで、合成処理とは、特殊効果処理部１４１がトーンカーブル処理を行った画像データと、ぼかし処理を行った画像データとを合成して新たな画像データを生成する画像処理である。
【００５２】
さらに、特殊効果処理が「Ａｒｔ４」の「ジオラマ」の場合、記録用特殊効果処理の処理内容として「色相・彩度処理」、「コントラスト処理」、「３回ぼかし処理」および「３回合成処理」が記載され、表示用特殊効果処理の処理内容として「色相・彩度処理」、「コントラスト処理」、「１回ぼかし処理」および「１回合成処理」が記載されている。ここで、３回ぼかし処理とは、特殊効果処理部１４１が色彩・彩度処理後、コントラスト処理を行った画像データに対してぼかし処理を３回行う処理である。また、３回合成処理とは、特殊効果処理部１４１がぼかし処理を行うごとに、ぼかし処理前の画像データと、ぼかし処理後の画像データとを合成して新たな画像データを生成する画像処理である。
【００５３】
このように、表示用特殊効果処理は、記録用特殊効果処理で行う複数の画像処理のうち画像データに対して処理時間が大きい画像処理を間引くことにより、画像データに対して行う特殊効果処理の処理時間を小さくする（たとえば、図３のＡｒｔ１を参照）。さらに、表示用特殊効果処理は、記録用特殊効果処理で行う複数の画像処理のうち画像データに対して処理時間が大きい画像処理の回数を減らすことにより、画像データに対して行う特殊効果処理の処理時間を小さくする（たとえば、図３のＡｒｔ４を参照）。これにより、画像処理設定部３１３は、画像処理部１４が行う特殊効果処理の設定内容を表示用と記録用との間で切換えることで、画像処理部１４が特殊効果処理を行った画像データを表示部２５が表示する所定の表示フレームレート（例えば６０ｆｐｓ）より高速な表示フレームレート（例えば１２０ｆｐｓ）でライブビュー画像を滑らかに表示させることができる。この結果、撮像装置１は、ユーザが被写体のシャッタチャンスを逃す可能性を低減させることができる。
【００５４】
図４は、特殊補助効果処理情報記憶部２６３が記憶する特殊補助効果処理に関する情報としての特殊補助効果処理情報テーブルの一例を示す図である。図４に示すように、特殊補助効果処理情報テーブルＴ２には、特殊効果処理に追加可能な特殊補助効果処理が記載されている。さらに、特殊補助効果処理情報テーブルＴ２には、各特殊補助効果処理における記録用特殊補助効果処理および表示用特殊補助効果処理の処理内容が記載されている。具体的には、特殊効果処理に追加可能な特殊補助効果処理が「Ｅｆｆｅｃｔ５」の「ホワイトアウト効果」の場合、記録用特殊補助効果処理および表示用特殊補助効果処理の処理内容として「ホワイトアウト処理」が記載されている。さらに、特殊効果処理に追加可能な特殊補助効果処理が「Ｅｆｆｅｃｔ３」の「スターライト効果」の場合、記録用特殊補助効果処理の処理内容として「輝点検出処理」および「光描画処理」が記載され、表示用特殊補助効果処理の処理内容として「輝点検出処理」および「光描画処理」が記載されている。なお、表示用特殊補助効果処理の処理内容の「光描画処理」は、画像データに含まれる一定のレベル（閾値）より高い輝点のみを間引いて描画し、レベルの低い輝点は描画を行わない。
【００５５】
このように、画像処理設定部３１３は、特殊効果処理と同様に、画像処理部１４が行う特殊補助効果処理の設定内容を表示用と記録用との間で切換えることにより、画像処理部１４が特殊効果処理を行った画像データを表示部２５が表示する所定の表示フレームレートより高速な表示フレームレートでライブビュー画像を滑らかに表示させることができる。
【００５６】
図５は、組み合わせ情報記憶部２６４が記憶する組み合わせ情報としての組み合わせテーブルの一例を示す図である。図５に示すように、組み合わせ情報テーブルＴ３には、撮影シーンの種別と特殊効果処理の内容との組み合わせが記載されている。具体的には、撮影シーンの種別が「ポートレート」の場合、特殊効果処理の内容として「ファンタジックフォーカス」が記載されている。さらに、撮影シーンの種別が「風景」の場合、特殊効果処理の内容として「ドラマチックトーン」が記載されている。
【００５７】
このように、画像処理設定部３１３は、組み合わせ情報テーブルＴ３を参照して、撮影シーン特定部３１２が特定した撮影シーンの種別に応じた特殊効果処理の内容を画像処理部１４に実行させるべき処理として設定する。これにより、撮影シーンに応じた適切な特殊効果処理を画像データに対して行うことができる。なお、組み合わせ情報テーブルＴ３に他の撮影シーンの種別、たとえば子供、ペット等の種別に応じた特殊効果処理の内容を組み合わせてもよい。さらに、組み合わせ情報テーブルＴ３に撮影シーンの種別に特殊補助効果の内容を組み合わせてもよい。
【００５８】
ここで、上述した各特殊効果処理について説明する。本実施の形態１では、画像処理部１４は、特殊効果処理としてファンタジックフォーカス、トイフォト、スターライト、ジオラマ、ドラマチックトーン、ポップアート１、ポップアート２、デイドリーム、ライトトーン、クロスプロセス、紅葉および水面を行う。
【００５９】
ファンタジックフォーカスは、柔らかいトーンの中で空気感を表現しつつ、被写体のディティールを残しながら幸福な光に包まれたように美しく幻想的に表現する特殊効果処理である。
トイフォトは、画像の周辺に対してシェーディング効果を施すことにより、昔らしさや思い出感を表現する特殊効果処理である。
スターライトは、光を強調して現実よりも明るく見栄えのする作風に表現する特殊効果処理である。
ジオラマは、画面の周辺に対して極端なぼけ効果を施すことにより、おもちゃらしさや作り物らしさを表現する特殊効果処理である。
ドラマチックトーンは、撮像画像を局所的なコントラスト変化からつくり出される現実ではありえないような明暗によって実際の空間をフィクションのような作風に表現する特殊効果処理である。
ポップアート１は、色をカラフルに強調し、明るく楽しい雰囲気に表現する特殊効果処理である。
ポップアート２は、蛍光色を抑えて、コントラストのめりはりをつけてより強い印象の作風に表現する特殊効果処理である。
デイドリームとは、撮影画像を青く柔らかな光に満ちた旅行の作風に表現する特殊効果処理である。
ライトトーンは、画像の明暗を柔らかく仕上げる作風に表現する特殊効果処理である。  クロスプロセスは、予想外の発色と色の運びにより意外で非現実的な雰囲気を表現する特殊効果処理である。
紅葉は、紅葉の風景を現実よりもっと鮮やかな作風に表現する特殊効果処理である。
水面は、湖等の水面に写っている木や風景等を強調して表現する特殊効果処理である。
【００６０】
つぎに、本実施の形態１にかかる撮像装置１が行う動作について説明する。図６は、撮像装置１が行う処理の概要を示すフローチャートである。なお、以下においては、静止画撮影または動画撮影を行う撮影モードのみについて説明する。
【００６１】
図６に示すように、まず、撮像装置１は、撮影制御部３１５の制御のもと、被写体を撮像する（ステップＳ１０１）。具体的には、撮像素子１１は、撮影制御部３１５の制御のもと、画像データを生成し、生成した画像データを、Ａ／Ｄ変換部１２を介してメモリ１３に出力する。
【００６２】
続いて、撮影シーン特定部３１２は、メモリ１３から画像データを取得し、取得した画像データに基づいて、撮影シーンの種別を特定する（ステップＳ１０２）。その後、画像処理設定部３１３は、組み合わせ情報テーブルＴ３および特殊効果処理情報テーブルＴ１を参照して、撮影シーン特定部３１２が特定した撮影シーンの種別に応じた表示用の特殊効果処理を画像処理部１４に実行させるべき処理として設定する（ステップＳ１０３）。
【００６３】
続いて、画像処理部１４は、本体制御部３１を介してメモリ１３から画像データを取得し、取得した画像データに対して画像処理設定部３１３によって設定された表示用の特殊効果処理を行う（ステップＳ１０４）。
【００６４】
続いて、表示制御部３１４は、画像処理部１４が特殊効果処理を行った画像データを取得し、取得した画像データに対応するライブビュー画像を表示部２５に表示させる（ステップＳ１０５）。
【００６５】
図７は、表示部２５が表示する画像の一例を示す図である。図７に示すように、表示制御部３１４は、画像処理部１４が表示用の特殊効果処理を行った画像データに対応するライブビュー画像Ｗ１を表示部２５に表示させる。この際、表示制御部３１４は、撮影シーン特定部３１２が特定した撮影シーンの種別に関する情報および画像処理設定部３１３が画像処理部１４に設定した特殊効果処理に関する情報に対応するアイコンをライブビュー画像Ｗ１の右上領域Ｒ１に重畳して表示部２５に表示させる。このアイコンとしては、たとえば、図７に示すように、撮影シーンの種別のポートレートを示すアイコンＡ１および特殊効果処理のファンタジックフォーカスに対応するＡｒｔ１を示すアイコンＡ２である。これにより、ユーザは、現在の撮影シーンの種別および特殊効果処理の内容を直感的に把握することができる。なお、図７においては、特殊効果処理を表現するため被写体の輪郭を破線で表現した。
【００６６】
ステップＳ１０６において、操作スイッチ２１４の決定ボタン２１４ｅを介して特殊効果処理の設定内容の変更を指示する変更指示信号が入力されていない場合（ステップＳ１０６：Ｎｏ）において、レリーズスイッチ２１２が半押しされることによりファーストレリーズ信号が入力されたとき（ステップＳ１０７：Ｙｅｓ）、撮影制御部３１５は、メモリ１３に記録された画像データに基づいて、レンズ部３を介して入射する光の光量を測定するＡＥ処理を露出処理部１７に実行させ（ステップＳ１０８）、ＡＦ処理部１８にＡＦ処理を実行させる（ステップＳ１０９）。具体的には、ＡＦ処理部１８は、本体制御部３１を介してメモリ１３から画像データを取得し、取得した画像データのコントラストに基づいて、レンズ部３のレンズ駆動部４２を駆動することにより、光学系４１のレンズを光軸Ｌ上で移動させてレンズ部３のピント位置を調整する。
【００６７】
ステップＳ１１０において、レリーズスイッチ２１２が全押しされることによりセカンドレリーズ信号が入力された場合（ステップＳ１１０：Ｙｅｓ）、撮像装置１は、撮影制御部３１５の制御のもと、静止画の撮影を行う（ステップＳ１１１）。続いて、画像処理部１４は、撮影によりＡ／Ｄ変換部１２を介して撮像素子１１から出力された画像データをメモリ１３から取得し、取得した画像データに対して画像処理設定部３１３によって設定された記録用の特殊効果処理を行うか、または通常の画像処理を行う（ステップＳ１１２）。その後、本体制御部３１は、画像処理部１４が記録用の特殊効果処理または通常の画像処理を行った画像データを外部メモリ２７に記録させる（ステップＳ１１３）。
【００６８】
ステップＳ１１３の後、電源スイッチ２１１が操作されることにより撮影の終了操作が行われた場合（ステップＳ１１４：Ｙｅｓ）、撮像装置１は一連の処理を終了する。一方、撮影の終了操作が行われていない場合（ステップＳ１１４：Ｎｏ）、撮像装置１はステップＳ１０１へ戻る。
【００６９】
ステップＳ１１０において、セカンドレリーズ信号が入力されていない場合（ステップＳ１１０：Ｎｏ）について説明する。この場合において、動画スイッチ２１７が操作されることにより動画レリーズ信号が入力されたとき（ステップＳ１１５：Ｙｅｓ）、撮像装置１は、撮影制御部３１５の制御のもと、動画撮影を開始する（ステップＳ１１６）。続いて、画像処理部１４は、撮影によりＡ／Ｄ変換部１２および本体制御部３１を介して撮像素子１１から微小な時間間隔で連続的に出力された画像データをメモリ１３から順次取得し、取得した画像データに対して画像処理設定部３１３によって設定されている記録用の特殊効果処理または通常の画像処理を行う（ステップＳ１１７）。その後、撮影制御部３１５は、画像処理部１４が記録用の特殊効果処理または通常の画像処理を行った画像データを時系列に沿って外部メモリ２７に順次記録させ（ステップＳ１１８）、撮像装置１はステップＳ１１９へ移行する。
【００７０】
ステップＳ１１８の後、撮影制御部３１５は、動画スイッチ２１７が操作されることにより動画撮影の終了操作が行われた場合（ステップＳ１１９：Ｙｅｓ）、撮像装置１はステップＳ１１４へ移行する。一方、動画撮影の終了操作が行われていない場合（ステップＳ１１９：Ｎｏ）、撮影制御部３１５は、この判断を繰り返す。
【００７１】
ステップＳ１１５において、動画レリーズ信号が入力されていない場合（ステップＳ１１５：Ｎｏ）、撮像装置１はステップＳ１１４へ移行する。
【００７２】
ステップＳ１０７において、ファーストレリーズ信号が入力されていない場合（ステップＳ１０７：Ｎｏ）、撮像装置１はステップＳ１１０へ移行する。
【００７３】
ステップＳ１０６において、操作スイッチ２１４の決定ボタン２１４ｅが操作されることにより、特殊効果処理の設定内容の変更を指示する変更指示信号が入力された場合（ステップＳ１０６：Ｙｅｓ）について説明する。この場合、画像処理設定部３１３は、特殊効果処理の設定を解除し、画像処理部１４に実行させるべき処理として通常の画像処理に設定を切換える（ステップＳ１２０）。
【００７４】
続いて、画像処理部１４は、メモリ１３から取得した画像データに対して画像処理設定部３１３によって設定された通常の画像処理を行い（ステップＳ１２１）、表示制御部３１４は、画像処理部１４が通常の画像処理を行った画像データを取得し、取得した画像データに対応するライブビュー画像を表示部２５に表示させる（ステップＳ１２２）。
【００７５】
図８は、表示部２５が表示する画像の一例を示す図である。図８に示すように、表示制御部３１４は、画像処理部１４が通常の画像処理を行った画像データに対応するライブビュー画像Ｗ２を表示部２５に表示させる。この際、表示制御部３１４は、撮影シーン特定部３１２が特定した撮影シーンの種別に関する情報および画像処理設定部３１３が画像処理部１４に設定した通常の画像処理に関する情報それぞれに対応するアイコンをライブビュー画像Ｗ２に重畳して表示部２５に表示させる。このアイコンとしては、たとえば、図８に示すように、撮影シーンの種別のポートレートを示すアイコンＡ１および通常の画像処理を示すアイコンＡ３である。これにより、ユーザは、現在の撮影シーンの種別および画像処理部１４による処理の内容を直感的に把握することができる。さらに、ユーザは、画像処理設定部３１３が撮影シーンの種別に応じて自動的に設定した特殊効果処理を中止することができる。なお、図８においては、通常の画像処理を表現するため、被写体の輪郭を実線で表現した。
【００７６】
以上説明した本発明の実施の形態１によれば、画像処理設定部３１３が組み合わせ情報テーブルＴ３を参照して、撮影シーン特定部３１２によって特定された撮影シーンの種別に応じた特殊効果処理の内容を画像処理部１４に実行させるべき処理として設定する。この結果、撮影シーンに応じた適切な特殊効果処理を画像データに対して行うことができる。
【００７７】
さらに、本発明の実施の形態１によれば、操作スイッチ２１４の決定ボタン２１４ｅから特殊効果処理の設定内容の変更を指示する変更指示信号が入力された場合、画像処理設定部３１３が画像処理部１４に設定した特殊効果処理を解除する。この結果、ユーザは、自動的に設定された特殊効果処理の設定を解除することができる。
【００７８】
また、本発明の実施の形態１によれば、表示制御部３１４が、撮影シーンに関する情報および特殊効果処理に関する情報それぞれに対応するアイコンをライブビュー画像上に重畳して表示部２５に表示させる。この結果、ユーザは、現在の撮影シーンの種別および特殊効果処理の内容をリアルタイムで直感的に把握することができる。
【００７９】
また、本発明の実施の形態１によれば、画像処理設定部３１３が画像処理部１４に実行させる特殊効果処理の内容を表示用と記録用との間で切換えるので、画像処理部１４が特殊効果処理を行った画像データに対応するライブビュー画像を表示部２５に滑らかに表示させることができる。この結果、ユーザが、被写体のシャッタチャンスを逃す可能性を低減させることができる。
【００８０】
なお、本発明の実施の形態１では、画像処理設定部３１３が画像処理部１４に実行させるべき処理として特殊効果処理を設定していたが、撮影シーンの種別に応じて画像処理部１４に実行させるべき処理として特殊補助効果処理も同様に設定することもできる。さらに、撮影シーンの種別に応じて画像処理部１４に実行させるべき処理として特殊効果処理および特殊補助効果処理を合わせて設定することもできる。
【００８１】
（実施の形態２）
つぎに、本発明の実施の形態２について説明する。なお、本発明の実施の形態２にかかる撮像装置１は、上述した実施の形態１にかかる撮像装置１と同様の構成を有するため、異なる構成のみを説明する。
【００８２】
図９は、組み合わせ情報記憶部２６４が記憶する組み合わせ情報としての組み合わせ情報テーブルの一例の一部を示す図である。なお、図９においては、撮影シーンの種別として風景を例に説明するが、他の撮影シーンの種別においても同様に、特殊効果処理の内容が記載されている。
【００８３】
図９に示すように、組み合わせ情報テーブルＴ４には、撮影シーンの種別と画像データに含まれる画像情報との組み合わせごとに特殊効果処理の内容が記載されている。具体的には、撮影シーンの種別が「風景」であり、画像情報の輝度が低い場合、特殊効果処理の内容として「ドラマチックトーン」が記載されている。さらに、画像情報の彩度が低い場合、特殊効果処理の内容として「ライトトーン」が記載されている。
【００８４】
このように、画像処理設定部３１３は、撮影シーン特定部３１２が特定した撮影シーン種別と画像データに含まれる画像情報とに基づいて、画像処理部１４に実行させるべき特殊効果処理を設定する。これにより、撮影シーンの種別に応じたより適切な特殊効果処理を画像データに対して行うことができる。なお、図９においては、撮影シーンの種別として風景を例に説明したが、他の撮影シーンの種別、たとえばポートレートや夜景においても同様の特殊効果処理の内容が記載されている。さらに、図９においては、画像データの画像情報として、輝度情報、彩度情報、主要被写体の色情報および撮像装置１から主要被写体までの距離情報のみであったが、たとえばコントラスト情報、ホワイトバランス情報、色合い情報、色の濃さ情報、シャープネス情報および色空間情報をさらに設けてもよい。
【００８５】
つぎに、本実施の形態２にかかる撮像装置１が行う動作について説明する。図１０は、撮像装置１が行う処理の概要を示すフローチャートである。なお、以下においては、静止画撮影または動画撮影を行う撮影モードのみについて説明する。
【００８６】
図１０に示すように、まず、撮像装置１は、被写体を撮像する（ステップＳ２０１）。具体的には、撮像素子１１は、撮影制御部３１５の制御のもと、画像データを生成し、生成した画像データを、Ａ／Ｄ変換部１２を介してメモリ１３に出力する。
【００８７】
続いて、撮影シーン特定部３１２は、メモリ１３から画像データを取得し、取得した画像データに基づいて、撮影シーンの種別を特定し（ステップＳ２０２）、画像処理設定部３１３は、組み合わせ情報テーブルＴ４および特殊効果処理情報テーブルＴ１を参照して、撮影シーン特定部３１２が特定した撮影シーンの種別と画像データの画像情報とに基づいて、画像処理部１４に実行させるべき表示用の特殊効果処理の内容を設定する（ステップＳ２０３）。
【００８８】
その後、画像処理部１４は、本体制御部３１を介してメモリ１３から画像データを取得し、取得した画像データに対して画像処理設定部３１３によって設定された特殊効果処理を行う（ステップＳ２０４）。
【００８９】
続いて、表示制御部３１４は、画像処理部１４が特殊効果処理を行った画像データを取得し、取得した画像データに対応するライブビュー画像を表示部２５に表示させる（ステップＳ２０５）。
【００９０】
図１１は、表示部２５が表示する画像の一例を示す図である。図１１に示すように、表示制御部３１４は、画像処理部１４が表示用の特殊効果処理を行った画像データに対応するライブビュー画像Ｗ１１を表示部２５に表示させる。この際、表示制御部３１４は、撮影シーン特定部３１２が特定した撮影シーンの種別に関する情報および画像処理設定部３１３が画像処理部１４に設定した特殊効果処理に関する情報それぞれに対応するアイコンＡ１１，Ａ１２をライブビュー画像Ｗ１１の右上領域Ｒ１に重畳して表示部２５に表示させる。さらに、表示制御部３１４は、撮影シーンが特定した撮影シーンの種別に対して、画像処理設定部３１３が画像処理部１４に設定可能な特殊効果処理に関する情報に対応するアイコンをライブビュー画像Ｗ１１の下方領域Ｒ２に重畳して表示部２５に表示させる。このアイコンとしては、たとえば、図１１に示すように、特殊効果処理のライトトーンに対応するＡｒｔ９を示すアイコンＡ２１、特殊効果処理のファンタジックフォーカスに対応するＡｒｔ１を示すアイコンＡ２２、特殊効果処理のジオラマに対応するＡｒｔ４を示すアイコンＡ２３および通常の画像処理を示すアイコンＡ２４である。これにより、ユーザは、現在の撮影シーンの種別および特殊効果処理の内容を直感的に把握することができる。さらに、ユーザは、撮影シーンの種別に対して実施可能な特殊効果処理の内容を直感的に把握することができる。
【００９１】
ステップＳ２０６において、操作スイッチ２１４の決定ボタン２１４ｅの操作がない場合（ステップＳ２０６：Ｎｏ）、撮像装置１はステップＳ２０７へ移行する。ステップＳ２０７〜ステップＳ２１９は、図６で説明したステップＳ１０７〜ステップＳ１１９に順次対応するため、説明を省略する。
【００９２】
ステップＳ２０６において、操作スイッチ２１４の決定ボタン２１４ｅを介して画像処理部１４に設定された処理内容の変更を指示する変更指示信号が入力された場合（ステップＳ２０６：Ｙｅｓ）について説明する。この場合、画像処理設定部３１３は、変更指示信号に応じて画像処理部１４に実行させるべき処理内容を変更する（ステップＳ２２０）。この際、画像処理設定部３１３は、変更指示信号に応じて、組み合わせ情報テーブルＴ４の左から順に特殊効果処理を、たとえば「ドラマッチチックトーン」、「ライトトーン」、「ファンタジックフォーカス」、「ジオラマ」および通常の画像処理の順に変更する。
【００９３】
続いて、画像処理部１４は、メモリ１３から取得した画像データに対して画像処理設定部３１３によって変更された特殊効果処理または通常の画像処理を行い（ステップＳ２２１）、表示制御部３１４は、画像処理部１４が特殊効果処理または通常の画像処理を行った画像データを取得し、取得した画像データに対応するライブビュー画像を表示部２５に表示させる（ステップＳ２２２）。これにより、ユーザは、表示部２５が表示するライブビュー画像を見ながら撮影シーンの種別に対して適切な候補の中から所望の特殊効果処理を設定することができる。
【００９４】
以上説明した本発明の実施の形態２によれば、上述した実施の形態１と同様に、撮影シーンに応じた適切な特殊効果処理を画像データに対して行うことができる。さらに、画像処理設定部３１３が撮影シーンの種別と画像データの画像情報とに基づいて、画像処理部１４に実行させるべき特殊効果処理の内容を設定する。この結果、撮影シーンに応じたより適切な特殊効果処理を画像データに対して行うことができる。
【００９５】
さらに、本発明の実施の形態２によれば、表示制御部３１４が、撮影シーンの種別に実施可能な特殊効果処理に関する情報をライブビュー画像上に重畳して表示部２５に表示させる。この結果、ユーザは、撮影シーンの種別に実施可能な特殊効果な特殊効果処理を直感的に把握することができる。さらに、ユーザは、撮影シーンの種別に適した所望の特殊効果処理をリアルタイムで設定することができる。
【００９６】
（その他の実施の形態）
上述した実施の形態１，２では、外部通信部２８を介してパーソナルコンピュータやサーバ等の外部処理装置に接続することによって、本体制御部３１が外部通信部２８を介して受信した情報に基づいて撮影モード情報記憶部２６１、特殊効果処理情報記憶部２６２、特殊補助効果処理情報記憶部２６３および組み合わせ情報記憶部２６４に記憶された各種情報の更新または書き換えを行ってもよい。これにより、本体制御部３１は、新たに追加された撮影モード、特殊効果および特殊補助効果を組み合わせて撮影を行うことができる。さらに、外部メモリ２７に特殊効果処理情報、特殊補助効果処理情報または組み合わせ情報を記憶させ、本体制御部３１が外部メモリ２７から取得して特殊効果処理情報記憶部２６２、特殊補助効果処理情報記憶部２６３または組み合わせ情報記憶部２６４が記憶する各種情報を更新または変更を行ってもよい。
【００９７】
また、上述した実施の形態１，２では、特殊効果処理の種類は、特殊効果処理情報テーブルＴ１の内容に限定されず、たとえば、アート、ボール、カラーマスク、キューブ、ミラー、モザイク、セピア、白黒、ウェーブ、ボール枠、風船、ラフモノクローム、ジェントルセピア、ロック、油絵、水彩画およびスケッチ等を追加することも可能である。さらに、特殊補助効果の種類は、特殊補助効果処理情報テーブルＴ２の内容も限定されず、各種の内容を追加することも可能である。
【００９８】
また、上述した実施の形態１，２では、撮影シーンの種別は、特殊効果処理情報テーブルＴ１の内容に限定されず、たとえば、子供、動物、スポーツ、キャンドルおよび文章等を追加することも可能である。
【００９９】
また、上述した実施の形態１，２では、プレビュースイッチ２１６やフォーカス操作部４５２の操作に応じて画像処理設定部３１３が画像処理部１４に設定した特殊効果処理を解除または変更を行ってもよい。
【０１００】
また、上述した実施の形態１，２では、表示部２５の表示画面上にタッチパネルを重ねて設け、ユーザがタッチパネルをタッチした場合、画像処理設定部３１３が画像処理部１４に設定した特殊効果処理を解除または変更を行ってもよい。
【０１０１】
また、上述した実施の形態１，２では、表示部２５が表示するライブビュー画像の表示について説明したが、たとえば本体部２に着脱自在な外部電子ビューファインダにおいても本発明を適用することができる。
【０１０２】
また、上述した実施の形態１，２では、表示部２５が表示するライブビュー画像の表示について説明したが、たとえば表示部２５とは別に電子ビューファインダを本体部２に設け、この電子ビューファインダにおいて本発明を適用するようにしてもよい。
【０１０３】
また、上述した実施の形態１，２では、レンズ部３が本体部２に着脱自在であったが、レンズ部３と本体部２とが一体的に形成されていてもよい。
【０１０４】
また、上述した実施の形態１，２では、撮像装置１をデジタル一眼デジタルカメラとして説明していたが、たとえば、デジタルビデオカメラ、カメラ付き携帯電話やパーソナルコンピュータ等の撮影機能を備えた各種電子機器に適用することができる。
【符号の説明】
【０１０５】
１            撮像装置
２            本体部
３            レンズ部
１０          シャッタ
１１          撮像素子
１２          Ａ／Ｄ変換部
１３          メモリ
１４          画像処理部
１５          撮像素子駆動部
１６          シャッタ駆動部
１７          露出処理部
１８          ＡＦ処理部
１９          タイマー
２０          本体通信部
２１          操作入力部
２２          フラッシュ発光部
２３          フラッシュ充電部
２４          フラッシュ駆動部
２５          表示部
２６          不揮発性メモリ
２７          外部メモリ
２８          外部通信部
２９          電源供給部
３０          電源部
３１          本体制御部
４１          光学系
４２          レンズ駆動部
４３          絞り
４４          絞り駆動部
４５          レンズ操作部
４６          レンズ通信部
４７          レンズ記憶部
４８          レンズ制御部
１４１        特殊効果処理部
１４２        特殊補助効果処理部
２１１        電源スイッチ
２１２        レリーズスイッチ
２１３        撮影モード切換スイッチ
２１４        操作スイッチ
２１５        メニュースイッチ
２１６        プレビュースイッチ
２１７        動画スイッチ
２６１        撮影モード情報記憶部
２６２        特殊効果処理情報記憶部
２６３        特殊補助効果処理情報記憶部
２６４        組み合わせ情報記憶部
３１１        顔検出部
３１２        撮影シーン特定部
３１３        画像処理設定部
３１４        表示制御部
３１５        撮影制御部
４５１        ズーム操作部
４５２        フォーカス操作部
【図１】
0005750692.tif 000002
【図２】
0005750692.tif 000003
【図３】
0005750692.tif 000004
【図４】
0005750692.tif 000005
【図５】
0005750692.tif 000006
【図６】
0005750692.tif 000007
【図７】
0005750692.tif 000008
【図８】
0005750692.tif 000009
【図９】
0005750692.tif 000010
【図１０】
0005750692.tif 000011
【図１１】
0005750692.tif 000012